Podtech/llm-jp-corpus-v4-ja_patent huggingface dataset:
(57)【要約】【課題】  ログインした者同士が、お互いのメールアドレスを相手に知られることなく、電子メールをやり取りできるシステムを提供する。【解決手段】  インターネット上にあるログイン画面からの電子メールを受信することで、パスワード認証と、送信者メールアドレスの抽出を行い、送信者メールアドレスにユニークなＩＤを関連付けてデータファイルに記憶することで、操作者に当システムへの参加を許可する。ＩＤは、インターネット上で参照できるようにし、初回のメールのやり取りは、対話をしたい相手のＩＤを、インターネット上で選択することにより行う。そのＩＤを格納した電子メールを受信したサーバー装置は、送信者アドレスが参加メンバーであると判断した時、ＩＤに関連付けられたメールアドレスへ、送信者に関連付けられたＩＤを格納して、電子メール本文を転送する。以降、互いの電子メール内に格納されたＩＤを用いることにより、直接電子メールのやり取りを行う。【選択図】図２
2008176757.tif 000002
【特許請求の範囲】
【請求項１】
取り決められたパスワードを電子メールで送信することにより、送信者メールアドレスに関連付けられたＩＤをインターネット上に公開して電子メールのやり取りを開始するシステムで、電子メールのやり取りにおいて、送信者メールアドレスは参加メンバーであることを認証するために用い、ＩＤは宛先情報として関連付けられたメールアドレスに読み替えることにより、自らのメールアドレスを知られないまま、メンバー間での電子メールのやり取りを行えることを特徴とするシステム。
【発明の詳細な説明】
【発明の詳細な説明】
【技術分野】
【０００１】  この発明は、自らのメールアドレスを知られることなく、登録されたメンバー間で電子メールのやり取りを行うシステムに関するものである。
【背景技術】
【０００２】  従来、通常の電子メールのやり取りにおいては、自らのメールアドレスが相手に伝わってしまい、第三者による悪用につながることがあった。
【発明が解決しようとする課題】
【０００３】  これは、特に未知の相手との電子メールのやり取りに制限を加えている。
本発明は、自らの電子メールアドレスを知られることなく、登録されたメンバー間で電子メールのやり取りを行うという目的のためになされたものである。
【課題を解決するための手段】
【０００４】  この目的を解決するため、インターネット上にあるログイン画面からの電子メールを受信することで、パスワード認証と、送信者メールアドレスの抽出を行い、送信者メールアドレスにユニークなＩＤを関連付けてデータファイルに記憶することで、操作者に当システムへの参加を許可する。ＩＤは、インターネット上で参照できるようにし、初回のメールのやり取りは、対話をしたい相手のＩＤを、インターネット上で選択することにより行う。そのＩＤを格納した電子メールを受信したサーバ装置は、送信者アドレスが参加メンバーであると判断した時、ＩＤに関連付けられたメールアドレスへ、送信者に関連付けられたＩＤを格納して、電子メール本文を転送する。以降、互いの電子メール内に格納されたＩＤを用いることにより、直接電子メールのやり取りを行う。
【発明を実施するための最良の形態】
【０００５】  以下、本発明の形態について説明する。本システムは、図１に示すよう、インターネットを通して、１つのサーバ装置１と複数のメンバー端末が繋がることによって構成されている。【０００６】  サーバ装置１は、図２の構成になっており、記憶部２にデータファイルを格納する。データファイルの主要素は、メールアドレスと、それに関連付けられたＩＤであるが、必要に応じ、メールアドレスに関連付けられたニックネームやメッセージを追加することができる。【０００７】  当システムを利用するに当たっては、メンバー登録することが必要であるが、図３に示すように、サーバ装置１はインターネットを通じて、端末装置４にログイン画面を表示させる。参加希望者は、ログイン画面から、予め取り決められたパスワードを格納した電子メールを、サーバ装置１に送信する。制御部３は、パスワード認証を行い、それが適切と判断された場合は、送信者メールアドレスを抽出して、ユニークなＩＤとともに記憶部２に格納する。これにより参加希望者のメンバー登録は完了し、該当ＩＤは端末装置４に表示されるようになる。【０００８】  メンバー登録を行うと、参加メンバー間で電子メールのやり取りを行うことが可能となるが、これは、以下の手段による。【０００９】  特定の相手との初回の電子メールのやり取りは、端末装置４に表示された参加メンバーＩＤを選択することにより行う。これにより、サーバ装置１内の専用プログラムに、選択ＩＤが格納された電子メールが送信される。【００１０】  該当プログラムは、送信者メールアドレスがメンバー登録されたものであると判定した時、格納されていたＩＤに関連付けられたメールアドレスを宛先として、電子メール本文を転送する。なお、この転送するメールには、送信者に関連づけられたＩＤを格納した、サーバ装置１内の専用プログラム宛のメールアドレスを添付する。【００１１】  以下、特定メンバー間の電子メールのやり取りは、送られてきた電子メールに添付されたメールアドレス宛てに電子メールを送ることで、［００１０］に記された手順が繰り返され、実現される。
【発明の効果】
以上のように、本発明において、登録メンバー間で、お互いのメールアドレスを相手に知られることなく、電子メールのやり取りができる。
【図面の簡単な説明】
【図１】  本システムの構成図である。
【図２】  本システムのサーバ装置の構成図である。
【図３】  本システムのサーバ装置と端末装置の関係図である。
【図４】  本システムにおけるメンバー登録のフローチャートである。
【図５】  本システムにおけるメール交換のフローチャートである。
【符号の説明】
１  サーバ装置
２  記憶部
３  制御部
４  端末装置
【図１】
2008176757.tif 000003
【図２】
2008176757.tif 000004
【図３】
2008176757.tif 000005
【図４】
2008176757.tif 000006
【図５】
2008176757.tif 000007
(57)【要約】【課題】従来、ダンパ等のエアシリンダには手動用の操作ハンドルが一体に設けてあり、シリンダの設置スペースが狭い場所では、シリンダの端部に設けた手動用丸ハンドルが、周辺機器や壁や保温材やアングル等に接触して、シリンダの通常作動や手動操作ができなくなる課題があった。【解決手段】シリンダ２の手動ハンドル軸１０にラチェットスパナ式の揺動ハンドル１１を設けてなるシリンダ手動ハンドル装置。【選択図】図１
2008176622.tif 000002
【特許請求の範囲】
【請求項１】
シリンダの手動ハンドル軸にラチェットスパナ式の揺動ハンドルを設けてなるシリンダ手動ハンドル装置。
【請求項２】
シリンダの手動ハンドル軸にラチェットスパナ式の揺動ハンドルを着脱自在に設けてなるシリンダ手動ハンドル装置。
【請求項３】
請求項１又は２に記載のシリンダ手動ハンドル装置において、シリンダを固定軸を中心に揺動可能に設けてなるシリンダ手動ハンドル装置。
【発明の詳細な説明】
【技術分野】
【０００１】
本発明は、シリンダの手動ハンドル軸を操作するシリンダ手動ハンドル装置に関する。
【背景技術】
【０００２】
従来、ダンパ等のエアシリンダには手動用の操作ハンドルが一体に設けてあると共に、シリンダの設置スペースが狭い場所に設けなければならない場合があった。
【発明の開示】
【発明が解決しようとする課題】
【０００３】
シリンダの設置スペースが狭い場所では、シリンダの端部に設けた手動用丸ハンドルが、周辺機器や壁や保温材やアングル等の近傍に位置するため、シリンダの通常作動時や手動操作時に、シリンダが揺動すると手動用丸ハンドルが接触してシリンダの操作ができなくなる場合が生じる課題があった。
【課題を解決するための手段】
【０００４】
そこで、本発明は、シリンダの手動ハンドル軸にハンドルに代わってラチェットスパナ式の揺動ハンドルを設けてなるシリンダ手動ハンドル装置を提供するものである。
【０００５】
また、本発明は、シリンダの手動ハンドル軸にラチェットスパナ式の揺動ハンドルを着脱自在に設けてなるシリンダ手動ハンドル装置を提供するものである。
【０００６】
また、本発明は、請求項１又は２に記載のシリンダ手動ハンドル装置において、シリンダを固定軸を中心に揺動可能に設けてなるシリンダ手動ハンドル装置を提供するものである。
【発明の効果】
【０００７】
本発明に係るシリンダ手動ハンドル装置によれば、シリンダの手動ハンドル軸に従来の丸ハンドルに代わってラチェットスパナ式の揺動ハンドルを設けてなる構成を有することにより、揺動ハンドルが、周辺機器や壁や保温材やアングル等の近傍に位置していたとしても、シリンダの通常作動時や手動操作時に、シリンダが揺動するとき、揺動ハンドルを周辺機器等に接触しない位置に配置して揺動操作ができるから、手動用の揺動ハンドルが周辺機器等に接触してシリンダの操作ができなくなる場合が生じない効果がある。
【０００８】
また、本発明は、シリンダの手動ハンドル軸にハンドルに代わってラチェットスパナ式の揺動ハンドルを着脱自在に設けてなる構成を有することにより、手動操作をしない通常作動時には揺動ハンドルを外しておくことができるから、通常作動時に手動用の揺動ハンドルが周辺機器等に接触してシリンダの操作ができなくなる場合が全く生じない効果がある。
【０００９】
また、本発明は、請求項１又は２に記載のシリンダ手動ハンドル装置において、シリンダを固定軸を中心に揺動可能に設けてなる構成を有することにより、シリンダの揺動範囲が固定軸により確定しているから、周辺機器等に接触しない範囲で手動用の揺動ハンドルを設置することができる効果がある。
【発明を実施するための最良の形態】
【００１０】
以下図示する実施例のより、本発明のシリンダ手動ハンドル装置について説明する。
【実施例１】
【００１１】
図１乃至図３に記載の実施例において、１はシリンダ２の取付枠で、図において、その両側水平方向に固定軸３を具備し、シリンダ２は固定軸３を中心に揺動可能に図では省略した固定的に設けた取付部材に取り付けてある。
【００１２】
また、取付枠１の前後には一体にシリンダ２の両端部に位置して支持枠４，５が設けてあり、実施例の場合、固定枠１と支持枠４，５は多数の連結棒６によって一体に連結してある。
前部の支持枠４の前方には、ダンパ部材２０が蛇腹２１を介してシリンダ２に連結してある。  
【００１３】
後部の支持枠５の後方には、支持軸部材７により手動ハンドル軸１０の支持枠８を一体に設けてあり、手動ハンドル軸１０を支持枠８の中央部でベアリング９によって回転自在に支持している。
そして、手動ハンドル軸１０には、ラチェットスパナ式の揺動ハンドル１１を取り付けてある。
【００１４】
揺動ハンドル１１は手動ハンドル軸１０の一半径方向にのみ突出して設けてあるから、図４及び図５に記載の従来の丸ハンドル３０とは異なり、手動ハンドル軸１０の一半径方向にのみ突出して設けてある位置から回転可能な角度範囲内で揺動往復回転させて、手動ハンドル軸１０を自在に回転操作することができる。
【００１５】
その結果、揺動ハンドル１１が、周辺機器や壁や保温材やアングル等の近傍に位置していたとしても、シリンダの通常作動時や手動操作時に、シリンダ２が固定軸３を中心に揺動するとき、揺動ハンドル１１を周辺機器等に接触しない位置に配置して揺動操作ができることとなる。
【００１６】
また、揺動ハンドル１１は、周辺機器に抵触しない範囲内で半径方向に長く突出して設けることができるから、手動ハンドル軸１１をそれだけ軽快に回転操作することができると共に、従来の手動用の丸ハンドル３０では、ハンドル円周部のいずれかの回転部分が周辺機器等に接触してシリンダの操作ができなくなる場合が生じるのに対して、一個所でも開放していればその位置に揺動ハンドル１１を設置して容易に回転操作することができる。
【図面の簡単な説明】
【００１７】
【図１】本発明装置の一実施例の要部の側面図。
【図２】図１のＡ矢視図。
【図３】図１のＢ−Ｂ矢視図。
【図４】従来装置の一実施例の要部の側面図。
【図５】図４のＡ矢視図。
【図６】図４のＢ−Ｂ矢視図。
【符号の説明】
【００１８】
１    シリンダ取付枠
２    シリンダ
３    シリンダ固定軸
４    支持枠
５    支持枠
６    連結棒
７    支持軸部材
８    支持枠
９    ベアリング
１０  手動ハンドル軸
１１  揺動ハンドル
２０  ダンパ部材
２１  蛇腹
３０  丸ハンドル
【図１】
2008176622.tif 000003
【図２】
2008176622.tif 000004
【図３】
2008176622.tif 000005
【図４】
2008176622.tif 000006
【図５】
2008176622.tif 000007
【図６】
2008176622.tif 000008
(57)【要約】【課題】これまでペンは、親指、人差し指、中指でペンを挟むようにしてにぎるため、長時間筆記する場合、手からにじみ出る汗で、ペンが滑りやすくなり、文字が書きにくくなり、持っている指が疲れると同時に痛くなる傾向があった。【解決手段】ペンにペンアシストストッパーを設けることにより、ペンを、親指、人差し指、中指の３本の指と、人差し指の付け根（手のひら側）でペンを支えるため、親指、人差し指、中指にかかる力を分散させることが出来き、汗をかいてもペンが滑りにくく、筆記がしやすく、疲労を大幅に軽減されるものである。また、ペンの正しい握り方が身に付き、ペンの持ち方が矯正できる効果がある。【選択図】図１
2008176253.tif 000002
【特許請求の範囲】
【請求項１】
ペン等の筆記用具を持つ際、親指、人差し指、中指の３本の他に、人差し指の付け根（手のひら側）部分に、ペンを支える装置を取り付けることを特徴とするペンアシストストッパー。
【請求項２】
前記支え装置は、それぞれ使用する者の手の大きさに合わせられるように移動可能なものとし、ストッパーの紐を人差し指と中指で挟み、ストッパーを人差し指と中指の付け根甲側に出し、紐を人差し指の付け根（手のひら側）に押し当て、ペンを支えることを特徴とする請求項１記載のペンアシストストッパー。
【発明の詳細な説明】
【技術分野】
【０００１】  本発明は、筆記用具等の持ち手部分に関する。
【背景技術】
【０００２】  従来の筆記用具は、親指、人差し指、中指の３本の指でペン等の先端部分を握り、親指と人差し指の付け根甲側にペンの上部付近を添えて字を書くものである。
【発明の開示】
【発明が解決しようとする課題】
【０００３】  しかしながら、以上の持ち方で筆記すれば、ペン先端部分を親指、人差し指、中指で握っているため、長時間筆記する場合、指から汗がにじみ出てペンが滑りやすく、更に、ペンを滑らせまいと更なる力で握るため、ペンを持つ指が、痛くなったり、疲れたりする。【０００４】  そこで、この発明は、ペンにペンを支える紐（紐の先端にストッパーを取り付けたもの）取り付けることにより、筆記用具を持つ際、親指、人差し指、中指の３本の外に、人差し指の付け根内側の４カ所でペンを支え筆記することにより、親指、人差し指、中指にかかる圧力を分散させ、少ない力でペンを支え字を書くことが出来るとともに、汗をかいてもペンが滑りにくく、指にかかる疲労を大幅に軽減するものである。【０００５】  また、親指、人差し指、中指の３本の指の他に、人差し指の付け根内側の４カ所でペンが固定されることにより、ペンを正しく持つことが出来き、ペンの持ち方も矯正出来るものである。
【課題を解決するための手段】
【０００６】  以上の課題を解決するために、第一発明は、ペンに、人差し指の付け根（手のひら側）を紐で支える装置を設け、親指、人差し指、中指の３本の指の他に、人差し指の付け根（手のひら側）の４カ所でペンを支えることを特徴とするペンのアシストストッパーである。【０００７】  また、第二発明は、各種ペンの先端部から差し込みが出来るようにして、ペンの直径が合えば、どのようなペンでも取り付けられ、手の大きさによって、ペンアシストストッパーの位置が調整出来ることにより、大人から子供まで利用が出来ること特徴とするものである。【０００８】  第三発明は、ペンの持ち方が、親指、人差し指、中指、人差し指の付け根（手のひら側）の４カ所で支えるため、ペンの持ち方が固定され、ペンの持ち方が正しく矯正されるものである。
【発明の効果】
【０００９】  第一発明、第二発明、第三発明によれば、ペンを支えるのが、親指、人差し指、中指の３本の指の他に、人差し指の付け根（手のひら側）の４カ所でペンを支えるため、親指、人差し指、中指にかかる力を分散させることが出来き、汗をかいてもペンが滑りにくく、疲労を大幅に軽減する。【００１０】  ペンの持ち方が固定されため、ペンを正しく持てるように矯正される効果がある。
【発明を実施するための最良の形態】
【００１１】  本発明の実施形態を、図１〜図３に基づいて説明する。【００１２】  図１においては、１は筆記用具、２はペンアシストストッパーである。【００１３】  図２においては、１は筆記用具、２はペンアシストストッパーで、装着前の状況である。【００１４】  図３にあっては、１は筆記用具、２はペンアシストストッパーで、ペンにアシストストッパーを取り付けた状態であるが、この装着にあっては手の大きさによって装着する位置を調整できるものである。【００１５】  以下、上記の構造を説明する。図１のようにペンを、親指、人差し指、中指の３本の指で持つ際、人差し指と中指の付け根付近でアシストストッパーの紐を挟み、ストッパーを人差し指と中指の付け根甲側に固定する。このことによりアシストストッパーの紐が人差し指付け根（手のひら側）付近の指半分を巻く形となり、ペン本体を人差し指付け根側に引きつけられ、ペンを持つ親指、人差し指、中指の先端の支点３点と、ペンアシストストッパーにより、人差し指付け根に出来た第４の支点で、ペンを固定することにより、親指、人差し指、中指先端にかかる力を分散させ、汗をかいてもペンが滑りにくく、疲労を大幅に軽減させるものである。【００１６】  また、図１のようにペンを握れば、正しいペンの握り方が身に付き、ペンの持ち方が矯正できる効果がある。
【図面の簡単な説明】
【００１７】
【図１】この発明のペンの持ち方及びペンアシストストッパーの使用方法を表した図である。
【図２】ペンにペンアシストストッパーを取り付ける前の状態を表した図である。
【図３】ペンにペンアシストストッパーを取り付けた状態を表した図である。
【符号の説明】
【００１８】    １  ペンの本体
２  ペンアシストストッパー
【図１】
2008176253.tif 000003
【図２】
2008176253.tif 000004
【図３】
2008176253.tif 000005
(57)【要約】      （修正有）【課題】建築工事写真の撮影が一人で安全に行える。【解決手段】写真撮影する人が、撮影表示板を写し込む位置に置く方法として、簡易に梁や鉄筋に据え置くことができる補助器具を用いる。  この補助器具は、人の手の届かない高さでも脚立などを使うことなく吊り上げと撤収ができ、持ち運びが容易な大きさと重さである。【選択図】図１
2008176258.tif 000002
【特許請求の範囲】
【請求項１】
建築工事の途中で竣工時に隠蔽される部位の施工状況について写真撮影をする際に、撮影の日時・建物名・部位について記入した表示板を写し込む必要がある。
写真撮影をする人が、この表示板を簡易に工事中の梁や鉄筋に据え置くことができる補助器具である。
【請求項２】
前項の補助器具を付けた表示板を人の手の届かない高さにある梁や鉄筋に据え置く方法として、前項の補助器具に空けた穴に適当な棒を刺し込むことで、吊り上げたり撤収したりできる仕組みである。
ここで用いる適当な棒とは、振り出し式の釣り竿・写真撮影用の三脚などを想定している。
【請求項３】
前２項の補助器具は素材を筒状のビニール板とすることで、梁や鉄筋に置いた際の付着を保ち、持ち運びが容易であり、透明なビニール板を用いることで撮影画像の余分な写り込みを軽減できる。
【発明の詳細な説明】
【技術分野】
【０００１】  本発明は、建築工事の途中で写真撮影する際に、写し込む表示板の置き方に関する補助器具である。
【背景技術】
【０００２】  なし
【発明の開示】
【発明が解決しようとする課題】
【０００３】  建築工事写真の撮影には撮影表示板の写し込みを伴うが、作業場所には建材や工具が多くあり足元が危険であるために、写し込みに適した場所を選んでこの表示板を据え置くことは難しい現状がある。
【課題を解決するための手段】
【０００４】  写真撮影する人が、撮影表示板を写し込む位置に置く方法として、簡易に梁や鉄筋に据え置くことができる補助器具を用いる。
この補助器具は、人の手の届かない高さでも脚立などを使うことなく吊り上げと撤収ができ、持ち運びが容易な大きさと重さである。
【発明の効果】
【０００５】  建築工事写真の撮影が、一人でより安全に行える。
【発明を実施するための最良の形態】
【０００６】  建築工事の検査をする人が検査道具として持ち歩き使用する。
【実施例】
【０００７】  木造住宅の軸組検査で梁に据え置き写真撮影する。【０００８】  壁の配筋検査でカメラの三脚に据え置き写真撮影する。
【産業上の利用可能性】
【図面の簡単な説明】
【０００９】  この発明の形状と使用方法を示した図面である。
2008176258.tif 000003
【手続補正書】
【提出日】平成19年6月10日(2007.6.10)
【手続補正１】
【補正対象書類名】明細書
【補正対象項目名】０００９
【補正方法】変更
【補正の内容】
【０００９】
【図１】見取図  特許請求する補助器具の前面と側面の見取図である。この補助器具を表示板に取り付けるためのクリップの見取図である。この補助器具を吊り上げるための棒の見取図である。
【図２】取り付け説明図  特許申請する補助器具をクリップで表示板の裏面に取り付ける。
【図３】取り扱い説明図  補助器具の穴に棒を刺し込んで吊り上げる。表示板の裏面を梁に突き当て補助器具を据え置き、棒を抜き取り撮影する。補助器具の穴に棒を刺し込んで吊り下げ撤収する。
【符号の説明】
１ａ、２ａ、３ａ１、３ａ２、３ａ３  特許請求する補助器具
１ｂ、２ｂ、３ｂ１、３ｂ２、３ｂ３  クリップ（一般に市販されているもの）
１ｃ、３ｃ１、３ｃ３  棒（振り出し式の釣り竿・写真撮影用の三脚など）
２ｄ、３ｄ１、３ｄ２、３ｄ３  表示板（バインダー、ホワイトボードなど）
【手続補正２】
【補正対象書類名】図面
【補正対象項目名】全図
【補正方法】変更
【補正の内容】
【図１】
2008176258.tif 000004
【図２】
2008176258.tif 000005
【図３】
2008176258.tif 000006
(57)【要約】【課題】ギターのスケール表を使用する際、各キーに応じたスケール表が必要となり、その量は膨大なものになってしまい使用しにくい。そこで各キーに対応できるスライド式のギタースケール表を提供する。【解決手段】スケール表本体に外カバーをかけ、外カバーをスライドさせて、スケール表本体の選択したキーと外カバーのルート音を合わせることにより、スケール表をあらゆるキーに設定して使用できるようにする。【選択図】図１
2008176255.tif 000002
【特許請求の範囲】
【請求項１】
ギターの指板にキーを印した表に、スケールを印した透明な外カバーをかけ、外カバーをスライドさせることにより、キーの設定が自在に変更できるギタースケール表
【発明の詳細な説明】
【技術分野】
【０００１】本発明はスケール表本体（ギターの指板にキーを印した表）に、外カバー（スケールの印された透明なカバー）をかけ、外カバーをスライドさせることにより、各キーに応じたスケール表として使用できるようにしたものである。
【背景技術】
【０００２】従来はキーに応じてスライドできるギターのスケール表はなかったので、各キーによって一枚づつのスケール表が必要だった。
【発明の開示】
【発明が解決しようとする課題】
【０００３】今まではキーに応じて一枚づつのスケール表が必要だったためスケール表の量は膨大なものとなり、スケールを覚える際、又、作曲やアドリブ演奏等において気軽に使用しにくいという難点があった。
【課題を解決するための手段】
【０００４】スケール表本体１（ギターの指板にキーを印した表）に外カバー２（スケールを印した透明なカバー）をかけ、外カバーに表記したスケール構成音の中のルート音４（ルート音はその他のスケール構成音とは違う色で印す）を、スケール表本体の設定したいキーのルート音の印３に合わせることにより各キーに応じたスケール表として使用できるようにした。
【発明の効果】
【０００５】膨大な量のスケール表が、本発明により、コンパクトな形に集約され、気軽に使用できるようになる。これによってギターのスケールを習得するのに役立つことになる。
【実施例１】
【０００６】例えばキーがＥのメジャーペンタトニックスケール表として使用する場合は、スケール表本体１に、外カバー２をかけ、スケール表本体に印されたＥ３に、外カバーのルート音の印４をスライドさせて合わせて使用する。
【図面の簡単な説明】
【０００７】
【図１】本発明の正面図である
【図２】本発明の使用状態を示す断面図である
【符号の説明】
【０００８】１  スケール表本体
２  外カバー
３  キーの印
４  ルート音印
５  弦の表示
６  フレットの表示
７  スケール構成音
【図１】
2008176255.tif 000003
【図２】
2008176255.tif 000004
(57)【要約】【課題】非常に巨大な画面を作成しようとする場合、例えば夜空に不特定多数の人々から視認できる画面を構成しようとする場合、従来どおりの画素が機械的に結合されている場合、構造重量が巨大となるため実現できない。【解決手段】本発明は上記課題を解決するものであって、それぞれの各知的画素がおのおのの位置をある程度制御しつつ、発光するべき光を自己判断し発光することで知的画素そのものを視認させ、巨大な文字、文章、画像を表示することができるようになるものである。知的画素群運用局において知的画素群を運用管理し、表示しようとする文字に対応した知的画素に装備されている間歇式発光器の発光スケジュールを決定、無線回線で各知的画素に表示データとして送信される。表示データの受信タイミングにより各知的画素の時刻が修正、同期される。各知的画素は発光スケジュールに従い間歇式発光器を発光させる。この発光状況を十分はなれた観測点から見た観測者には間歇的に発光する文字として認識される。【選択図】図１
2008176250.tif 000002
【特許請求の範囲】
【請求項１】
大気圏外を飛翔する知的画素により間欠発光する手段によって地上より知的画素を視認できる方法
【請求項２】
大気圏外を飛翔する不規則に配置された知的画素群により間欠発光する手段によって地上より視認できる文字を表示する方法
【請求項３】
大気圏外を飛翔する不規則に配置された知的画素群により間欠発光する手段によって地上より視認できる単語を表示する方法
【請求項４】
大気圏外を飛翔する不規則に配置された知的画素群により間欠発光する手段によって地上より視認できる画像を表示する方法
【発明の詳細な説明】
【技術分野】
【０００１】本発明は不規則に配置された知的画素群で文字、画像を表示する方法に関する。
【背景技術】
【０００２】不特定多数の人々に視認される画像表示装置として大規模画像表示装置がある。従来画像表示装置は多数の画素により構成されており、それら多数の画素は機械的に結合されている。したがって巨大な画像表示装置には巨大な構造物が必要である。
【発明の開示】
【発明が解決しようとする課題】
【０００３】非常に巨大な画面を作成しようとする場合、例えば夜空に不特定多数の人々から視認できる画面を構成しようとする場合、従来どおりの画素が機械的に結合されている場合、構造重量が巨大となるため実現できない。
【課題を解決するための手段】
【０００４】本発明は上記課題を解決するものであって、それぞれの各知的画素がおのおのの位置をある程度制御しつつ、発光するべき光を自己判断し発光することで知的画素そのものを視認させ、巨大な文字、文章、画像を表示することができるようになるものである。【０００５】すなわち本発明の第一は大気圏外を飛翔する知的画素において、
間欠発光する手段によって地上より知的画素を視認することを特徴とする表示方法である。【０００６】本発明の第二は大気圏外を飛翔する不規則に配置された知的画素群において、
間欠発光する手段によって地上より視認できる文字を表示することを特徴とする表示方法である。【０００７】本発明の第三は大気圏外を飛翔する不規則に配置された知的画素群において、
間欠発光する手段によって地上より視認できる単語を表示することを特徴とする表示方法である。【０００８】本発明の第四は大気圏外を飛翔する不規則に配置された知的画素群において、
間欠発光する手段によって地上より視認できる画像を表示することを特徴とする表示方法である。
【発明の効果】
【０００９】衛星軌道上に複数配置された画素衛星により知的画素を構成することにより地上から視認できる軌道上スクリーンを形成することができ、新しい表示媒体を実現できる効果を有する。
【発明を実施するための最良の形態】
【実施例１】
【００１０】以下、本発明の実施の形態について図面を参照し説明する。図１は本発明を適用した人工衛星利用天空表示システムを示す説明図である。図中、１は知的画素ならびに知的画素群、２は知的画素に装備される間欠式発光器、３は知的画素群運用局、４は表示データ送信ステップ、５は時刻同期ステップを示す。【００１１】間歇式発光器２を装備した知的画素１−１から構成される知的画素群１−２は、衛星軌道上にロケット等により打ち上げられ配置される。これら知的画素群は無線を使って知的画素群運用局３から管理、制御される。【００１２】知的画素群運用局３において、表示しようとする文字に対応した知的画素に装備されている間歇式発光器２の発光スケジュールを決定する。スケジュールは時々刻々の知的画素の配置を予測し決定される。図２は例えばＡ、Ｓ、Ｔと順番に表示する場合の発光スケジュールを模擬的に示す説明図である。決定したスケジュールは無線回線で各知的画素に表示データ４として送信される。表示データの受信タイミングにより各知的画素の時刻が修正、同期される。（時刻同期ステップ５）
各知的画素１は発光スケジュールに従い間歇式発光器２を発光させる。この発光状況を十分はなれた観測点から見た観測者には間歇的に発光する文字として認識される。【００１３】一度に複数の文字列を表示できる知的画素群を配置し、知的画素群の動きにあわせて文字列を表示することにより、観測者に文字列を認識させる。図３は例えば３文字を同時に表示できる知的画素群においてＡＳＴＲという文字列を表示する場合の発光スケジュールを模擬的に示す説明図である。
【図面の簡単な説明】
【００１４】
【図１】本発明の人工衛星利用天空表示システムを示す説明図である。
【図２】Ａ、Ｓ、Ｔと順番に表示する場合の発光スケジュールを模擬的に示す説明図である。
【図３】ＡＳＴＲと順番に表示する場合の発光スケジュールを模擬的に示す説明図である。
【符号の説明】
【００１５】１・・・・知的画素
２・・・・間歇式発光器
３・・・・知的画素運用局
４・・・・表示データ送信
５・・・・時刻同期
【図１】
2008176250.tif 000003
【図２】
2008176250.tif 000004
【図３】
2008176250.tif 000005
(57)【要約】      （修正有）【課題】フォトクロミック化合物を使用して混合による中間色の発色が可能であり、所望の色彩を持つ意匠性に優れる表示構造体を提供する。【解決手段】フォトクロミック化合物よりなる色剤４が充填されたマイクロカプセル６が透明樹脂８内に混入されたインク７により形成される表示部５を持つ表示構造体。【効果】発色機能を持ち、かつ、所望の色彩を持つ意匠性に優れる表示構造体が得られ、この表示構造体はポストカードやプレゼントカードとして、さらに、その他各種物品の意匠材等として有用に用いられる。【選択図】図２
2008176267.tif 000002
【特許請求の範囲】
【請求項１】
フォトクロミック化合物よりなる色剤が充填されたマイクロカプセルが透明樹脂内に混入されたインクにより形成される表示部を持つ表示構造体。
【発明の詳細な説明】
【技術分野】
【０００１】  この発明は、発色機能を有する表示構造体に関する。
【背景技術】
【０００２】  最近、フォトクロミック化合物が溶融された水性スクリーンインクの開発が進められている。このインクは、例えば、紫外線に反応して発色と消色の２状態に可逆的に変化することが知られている。したがって、シート上にこのインクにより印刷された模様は、紫外線が照射された場合にのみ現れる。
【発明の開示】
【発明が解決しようとする課題】
【０００３】  しかしながら、現状においては、異なる色の上記水性スクリーンインクを混合してその中間色の発色を得ることは難しい。フォトクロミック化合物の固有の発色種類は限られているので、混合による中間色の発色が行えないと使用色が制限され、所望の色合いの印刷模様が得られず、またフルカラー印刷も行えない。【０００４】  発明者は、鋭意研究の結果、フォトクロミック化合物よりなる色剤をマイクロカプセルに充填することで上記問題が解消できるという知見に到達したものである。【０００５】  この発明では、フォトクロミック化合物を使用して混合による中間色の発色が可能であり、所望の色彩を持つ意匠性に優れる表示構造体を提供することを目的とする。
【課題を解決するための手段】
【０００６】  この発明では、フォトクロミック化合物よりなる色剤が充填されたマイクロカプセルが透明樹脂内に混入されたインクにより形成される表示部を持つ表示構造体を提供する。【０００７】  上記構成によれば、異なる色のフォトクロミック化合物よりなる色剤がそれぞれ別個に充填されたマイクロカプセルそれぞれを用いた異なる色のインクを混合使用することで、紫外線照射によりそのほぼ中間色の発色を行う表示部を持つ表示構造体が得られる。これにより、基本色に加えて種々中間色の表示部を印刷することで所望の色彩印刷模様を持つ表示構造体が得られ、また、フルカラーに近い印刷表示構造体が得られる。【０００８】  上記表示構造体はシート形態として、ポストカードやプレゼントカードとして用いてもよく、また、文房具、家具、壁材、さらには衣服等の各種表面意匠材として用いることができる。さらに、光照射により表示部が見られることを利用して、秘密文書等として有用に用いられる。
【発明の効果】
【０００９】  この発明によれば、発色機能を持ち、かつ、所望の色彩を持つ意匠性に優れる表示構造体が得られ、この表示構造体はポストカードやプレゼントカードとして、さらに、その他各種物品の意匠材等として有用に用いられる。
【発明を実施するための最良の形態】
【００１０】  図１はこの    の表示構造体としてのシートの平面図、図２はその部分拡大断面図である。【００１１】  シート１は紙製のシート基材２上に表示部としての輪状の印刷模様５が付されて構成されている。このシート１はポストカードやプレゼントカードとして用いられ、印刷模様５に加えてさらに文字、模様が適宜印刷形成されて完成されるもので、それらについては図示、説明を省略している。【００１２】  上記印刷模様５は、図２の拡大断面図に示すように、フォトクロミック化合物よりなる色剤４が充填された多数のマイクロカプセル６が透明樹脂８内に混入されたインク７が印刷されて設けられている。色剤４としてはフォトクロミック化合物の粉体が水に溶融された水性スクリーンインクを用いる。【００１３】  上記印刷模様５の最外のエリアａにおいて用いるインク７としては、含まれるフォトクロミック化合物が黄色に発色する色剤４が充填されたマイクロカプセル６が混入されたものを、その内側のエリアｂにおいて用いるインク７としては、含まれるフォトクロミック化合物が黄色と赤色に発色する色剤４がそれぞれ別途に充填された２種類のマイクロカプセル６が混入されたものを、その内側のエリアｃにおいて用いるインク７としては、含まれるフォトクロミック化合物が赤色に発色する色剤４が充填されたマイクロカプセル６が混入されたものを、その内側のエリアｄにおいて用いるインク７としては、含まれるフォトクロミック化合物が赤色と青色に発色する色剤４がそれぞれ別途に充填された２種類のマイクロカプセル６が混入されたものを、最内側のエリアｅにおいて用いるインク７としては、含まれるフォトクロミック化合物が青色に発色する色剤４が充填されたマイクロカプセル６が混入されたものを使用している。【００１４】  上記印刷模様５は、紫外線の無いところではフォトクロミック化合物が消色の状態にあることで現れず目に触れないが、紫外線ランプ光を照射することでフォトクロミック化合物が発色し、外側から内側に至るａ〜ｅのエリアにおいて、黄色、橙色、赤色、紫色、青色のそれぞれの色を呈する。従来においては、上記エリアｂ、ｄにおけるような橙色、紫色の中間色をフォトクロミック化合物の色剤の混合することによって発色させることは困難であった。
【図面の簡単な説明】
【図１】  表示構造体であるシートの実施形態の平面図
【図２】  表示構造体であるシートの部分拡大断面図
【符号の説明】
１  シート（表示構造体）
２  シート基材
４  色剤
５  印刷模様（表示部）
６  マイクロカプセル
７  インク
８  透明樹脂
【図１】
2008176267.tif 000003
【図２】
2008176267.tif 000004
(57)【要約】【課題】従来、野球、ソフトボールの打撃練習は、人が投げたり、ピッチングマシーン等で行われ広い場所等が必要であった。【解決手段】球体（１）にスプリング（２）をつけその先に半球（３）球体（１）が飛び出ないように片方を半球状にしてその一部をカットした筒（４）に入れて一方を球体（１）を押さえるスプリング（５）および調整ネジ（６）を付け蓋（７）で固定し、同じ構造体を半球（３）の向かい合わせで配置し、支持アーム（８）で支持する。【選択図】図１
2008284268.tif 000002
【特許請求の範囲】
【請求項１】
球体（１）にスプリング（２）を付け、その先に半球（３）を取り付けた球体（１）が飛び出さないように片方を半球状にしてその一部を斜めにカットした筒（４）にいれ一方を球体（１）を押さえるスプリング（５）および調節ネジ(６)を付け蓋(７)で固定し、同じ構造体を半球(３)の向かい合わせで配置し、支持アーム(８)で支持することを特徴とする野球、ソフトボールの打撃練習機。
【発明の詳細な説明】
【技術分野】
【０００１】
本発明は、比較的狭い場所で野球、ソフトボールの打撃練習を1人でする打撃練習機に関するものである。
【背景技術】
【０００２】
従来の打撃練習機には腕部にひもをぶらさげてひもの先に設けた磁石やマジックテープ（登録商標）に球を付けて、その球を打っていた。
【特許文献１】特開平１０−２３４９１５
【発明の開示】
【発明が解決しようとする課題】
【０００３】
従来の打撃練習機では、広い場所が必要で又狭い場所ですと球が飛んだ位置がよく分からなかった。本発明は、以上の欠点を解決するためになされたものである。
【課題を解決するための手段】
【０００４】
球体（１）にスプリング（２）を付けその先に半球（３）を取り付けた球体（１）が飛び出ないように片方を半球状にしてその一部を斜めにカットした筒（４）にいれ、一方を球体（１）を押さえるスプリング（５）および調整ネジ（６）を付け蓋（７）で固定し、同じ構造体を半球（３）の向かい合わせで配置し、支持アーム（８）で支持することを特徴とする。
【０００５】
本発明で用いる球体（１）は金属または樹脂製が望ましく、一般に金属製のものが好適である。また、半球の大きさは、練習対象とする野球やソフトボールの寸法に合わせることが望ましい。
【発明の効果】
【０００６】
野球、ソフトボールの打撃練習を比較的狭い場所で一人で安全に行うことが出来る、又ボールの飛ぶ位置も容易に想像が出来る。      
【発明を実施するための最良の形態】
【０００７】
本発明を実施する最良の形態を図１および図２に示した。
【０００８】
本機具は向かい合わせた半球と半球のあいだをバットで振りぬいて半球と半球の間隔が大きいか小さいかによってゴロあるいはフライか判断できる、また半球が右か左で方向が容易に判断できるものである。
【産業上の利用可能性】
【０００９】
本発明は野球、ソフトボールが出来なくても容易に打撃練習ができ、又、運動不足の解消にもやくだつものである。
【図面の簡単な説明】
【００１０】
【図１】本発明の実施形態の図
【図２】本発明の構造詳細図
【符号の説明】
【００１１】
（１）球体
（２）スプリング
（３）半球
（４）筒
（５）スプリング
（６）調整ネジ
（７）蓋
（８）支持アーム
【図１】
2008284268.tif 000003
【図２】
2008284268.tif 000004
(57)【要約】      （修正有）【課題】負傷した部分に貼りつけるためのカットバンが、子供の指や手には不便な長さであり、貼るのに手間取ったり、貼部同志が貼りついて処置に困るため、簡単に処理できる便利なカットバンを提供する。【解決手段】カットバンの貼部の一方を他方の長さより２分の１、３分の１、３分の２ほど短くして、負傷した部分の処置を短いほうの貼部から貼っていくことで、処理はスムーズに運び、手間取らず、簡単に処置できるカットバンとする。【選択図】図２
2008284334.tif 000002
【特許請求の範囲】
【請求項１】
貼部の一方の長さを、他方の長さより２分の１短くしたカットバン。
【請求項２】
請求項１より、貼部の一方の長さを他方の長さより３分の１短くしたカットバン。
【請求項３】
請求項１より、貼部の一方の長さを他方の長さより３分の２短くしたカットバン。
【発明の詳細な説明】
【技術分野】
【０００１】  本発明は、カットバンに関するものである。
【背景技術】
【０００２】  現在、カットバンは、その用途によって多くの種類に分割され、それぞれに特徴のある使用法になっていて、十分にその目的を達している。しかし、その基本となるカットバン（図１・参考）については、布部を貼部の中心に施し、貼部は左右同じ長さで、しかも長く製造されている。そのため、例えば特に指や幼児を含む子供などが手などを負傷した場合、その種のカットバンを使用するとき、貼部が同じ長さで、しかも必要以上に長いため、処置に手間取ったり、貼部同志が貼りついて処理に苦労することも多く、非常に不便なことが多く、処理の能率にも支障を来すことがある。
【発明の開示】
【発明が解決しようとする課題】
【０００３】  大人を含め、子供や幼児が負傷した場合で、カットバンのみで対処できるとき、布部を中心にした同じ長さの、長い貼部を負傷したところに巻きつけたり貼ったりすると、貼部同志で貼りついたり、手や指に巻きつけても、容易に処置できないで、手間取り苦労することが多い。従って、本発明は、そうした種類のカットバンをいかに処理し易く、手間取らない方法で用いるかを考えた。
【課題を解決するための手段】
【０００４】  カットバンの貼部の一方を、他の長さより２分の１、３分の１、または３分の２の長さを残して短くし、指や手などが負傷したときは、その短いほうの貼部から先に負傷部分に貼りつけていくと手間取らず、また苦労せずに貼り終わることができる。まして、子供などが指を負傷した場合は、短いほうの貼部から貼っていくようにすれば、長いほうの貼部は貼りやすくなり、また短いほうの貼部に重なって固定されるので、カットバンとしての機能は十分に発揮される。
【発明の効果】
【０００５】  本発明は、貼部の一方を短くしてあるので、布部も貼部の中心には位置していず、２分の１、３分の１、３分の２の位置にずれた形で装着しているので、他人の手を頬わす必要もなく、自分の片手で処理することができる。またその使い方は、負傷の場合によっては、布部を右寄りか左寄りに変えれば良く、その処置は至極簡単で手間取らず、貼る順序も考慮しつつ利用することができる。
【発明を実施するための最良の形態】
【０００６】  以下、本発明の実施の形態を説明する。
（イ）カットバンの貼部の一方を、他方の長さの２分の１、３分の１、３分の２の長さにする。（第２図、第３図、第４図）
（ロ）指や手を負傷したとき、短い貼部のほうから貼っていく。
（ハ）長いほうの貼部は、短いほうの貼部の上に貼り合わせ重ねる。
（ニ）負傷したところによっては、カットバンの使い方を自在に調製することができる。
本発明は以上の構造による使用法である。なお本発明の使用は、従来カットバンの使用と同様であって、その使用のし方には何の差異もない。
【図面の簡単な説明】
【図１】従来のカットバン
【図２】貼部の一方Ｂを、他方Ａより２分の１短くしたカットバン。
【図３】貼部の一方Ｂを、他方Ａより３分の１短くしたカットバン。
【図４】貼部の一方Ｂを、他方Ａより３分の２短くしたカットバン。
【符号の説明】
１、布部      ２、貼部
【図１】
2008284334.tif 000003
【図２】
2008284334.tif 000004
【図３】
2008284334.tif 000005
【図４】
2008284334.tif 000006
(57)【要約】【目的】食器乾燥器の乾燥室（１）に外部からゴキブリや蟻などの害虫が侵入できない食器乾燥器の構成。【構成】食器乾燥器の乾燥室（１）の蓋（２）の隙間や温風排出口（７）などの、乾燥室と外部との間の害虫の通過が可能な隙間を形成する全ゆる部所について、メッシュや糸くず状材料、パッキングなどを用いて害虫の通過を阻止する、或いは、害虫が忌避する材料を用いた構成の食器乾燥器。【選択図】図１
2008284331.tif 000002
【特許請求の範囲】
【請求項１】
食器乾燥器の乾燥室（１）と外部空間とを通じさせる隙間の内，ゴキブリや蟻などの乾燥室への侵入を許容する大きさの隙間や開口部、例えば、温風排出部などに関して、メッシュや糸くず状材料、パッキング、などの乾燥室と外部との通気性は保持するが害虫の通過は阻止するところの材料を用いて隙間を覆う、或いは、密閉する構成の食器乾燥器。
【発明の詳細な説明】
【産業上の利用分野】
【０００１】台所用品
【背景技術】
【０００２】従来の食器乾燥器では乾燥室の開閉蓋の外周部周辺に温風を排出するための隙間が作られているため、その隙間、あるいは、洗浄した食器からの滴水を排出するための滴水排水口などから、外部の害虫が乾燥室に容易に出入することができた。
【課題】
【０００３】食器乾燥室の外部から害虫が侵入することができない構造の食器乾燥器を構成する。
【手段】
【０００４】乾燥室の底、蓋、蓋開閉部の蝶番部、或いは、乾燥室に設けられた温風吹き出し口、温風排気口、滴水排出口などに対して、また、蝶番部についても隙間をリング状パッキングや隙間が小さなブラシ状、或いは金属糸屑状の詰め物などを取り付けて、また、その他の上記の各口部には金網や樹脂材料の細かいメッシュなどを取り付けることにより、外部からの害虫、例えば、ゴキブリ、蟻、蛾、ムカデなどの侵入を阻止する構造とする。
【実施の形態例１】
【０００５】図１に実施例を示した。乾燥室（１）の上蓋の手前部分の開閉部を蛇腹（２）とし、上蓋の後方部分を蓋固定部（３）とし、後者を図１のように乾燥室の後部に固定する。蛇腹の後方上端部及び側面部端面を、蓋固定部（３）の前方端部及び側面端に固定、或いは、ゴムパッキングなどを用いて蛇腹を閉めたときにしっかりと接触或いは密着する構造とする。上記構成において蛇腹を乾燥室の手前部分の上面に当たるまで伸ばし閉めると乾燥室全体が蓋固定部（３）と蛇腹（２）により覆われ概ね密閉される。その際、蛇腹（２）の付け根に当たる部分（５）と蓋固定部（３）の手前下部との摺動部分（４）、食器乾燥用の温風吹出し口（６）、乾燥室からの温風排気口（７）、食器からの滴水を排出する滴水排出口（８）、には樹脂や金属製のメッシュや糸屑状詰め物など、通気性と害虫の侵入を阻止する機能を有する材料を用いて、隙間や開口部を覆う構造とする。滴水溜め、及び、温風発生器を乾燥室の内部部分に設ける。
【実施の形態例２】
【０００５】実施例１の蛇腹の乾燥室底部への当り面と乾燥室の蛇腹当たり面、或いは、蛇腹の付け根の摺動部に磁性材料を装備して、両者の当たり面の位置決めや回転が可能で密着性向上を図る構造としてもよい。
【実施の形態例３】
【０００６】実施例１の蓋の開閉部を蛇腹に変わって、樹脂製の断面が凡そ円弧状などの開閉蓋と蝶番を用いた構成とする場合、開閉蓋の端部全体亘ってにパッキングなどを配備して、開閉蓋を締め切ったとき乾燥室に害虫が侵入できる隙間が生じない構造とする。
【実施の形態例４】
【０００７】乾燥室の蓋の部分の全体を着脱できる一体物としてもよい。
【発明の効果】
【０００８】ゴキブリなどの害虫が食器乾燥器に侵入して、食器を汚染することが防止でき、食器の衛生保持手段として有益である。
【図面の簡単な説明】
【図１】は実施形態例１である。
【符号の説明】
１  乾燥室、２  蛇腹、３  蓋固定部、４  蛇腹付け根部と蓋の固定部との摺動面、６  温風吹出し口、７  温風排気口、８  滴水排出口。
【図１】
2008284331.tif 000003
(57)【要約】【課題】現代のインテリアやライフスタイルに世代・背景を問わず調和するデザイン・機能を有する、墓・仏壇・遺品収納箱を兼ねた追憶分骨ケースの提供。【解決手段】蓋付箱状本体の上部に形見を収納できるガラスケース１とメモリアルプレート４を設けることで、蓋を開閉することなく、大切な家族やペットを偲ぶことができ、箱状本体と繋止具で留められた蓋を開けると蓋部内側にフォトフレーム３が存在し、箱状内部には形見保管収納部２、書類遺品専用の引出式収納部５、分骨ケース保管専用の鍵付収納部６を有することで、仏壇、墓を兼ねて装飾デザインされた、愛する者を偲ぶことが出来るケースである。【選択図】図２
2008284315.tif 000002
【特許請求の範囲】
【請求項１】
大切な家族やペットの、形見と遺骨を保管する収納部を箱内部に有し、箱上部に形見を展示保管する、メモリアルプレート付ガラス収納ケース、蓋内側部に装飾されたフォトフレームを施した構成を特徴とする追憶・分骨ケース。
【請求項２】
前記、各形見収納部とは別に別素材の分骨収納部を保管できるスペースを持ち、施錠出来ることを特徴とする請求項１の追憶・分骨ケース。
【請求項３】
前記、各形見収納部、分骨収納スペースとは別に、手紙、血統書、絵、写真、母子手帳などの大切な遺品書類用引出式収納部を有した箱状本体を持つことを特徴とする請求項１の追憶・分骨ケース。
【請求項４】
前記、箱上部の形見を保管展示するガラス収納ケース部を伸縮式繋止具によりスライドさせることができ、その底面から時計やアクセサリーなどの形見をはめ込み固定することを特徴とする請求項１記載の追憶・分骨ケース。
【請求項５】
前記のフォトフレーム及び、箱上部のガラス収納ケース部に対し、象嵌細工やガラス細工、天然石埋めみなどの装飾を行うことを特徴とする追憶・分骨ケース。
【発明の詳細な説明】
【技術分野】
【０００１】「本発明は大切な家族やペットの、形見・分骨の保管ができ、世代を問わず、現代のライフスタイル、インテリア事情と調和する、墓・仏具を兼ねたケースの提供である。」
【背景技術】
【０００２】従来の形見・分骨の保管は仏壇的要素や日本独自の宗教的要素が感じられた。（例：特許文献１・２参照）【０００３】また仏壇的宗教的要素を無くしても、メモリアル重視でオルゴール機能が付き、分骨保管や書類保管の不可なものであった。（例：非特許文献１参照。）
【特許文献１】特許第３８０１６１０号
【特許文献２】特許公開２００４−３２９８０７
【非特許文献１】「トモエ工芸株式会社ホームページ  ｈｔｔｐ：／／ｃｏｃｃｏｌａ．ｃｏ．ｊｐ」
【発明の開示】
【発明が解決しようとする課題】
【０００４】仏壇及び宗教的な、存在の重みがありながら、現代のインテリア情勢と世代に関係なくライフスタイルに調和する素材及びデザイン。【０００５】書類関係の形見、重要書類は多く、それを保管することが可能な形体。【０００６】分骨収納部を鍵付きで設けることにより、水子やペットの遺骨などを保管することができ、尚且つ存在の証しや記憶と共に生活することで心癒されることを目的とする。
【課題を解決するための手段】
【０００７】本発明は上記目的を達成するために、大切な家族やペットの形見を保管展示する収納部を箱内部と箱上部に有し、蓋内側部に、装飾されたフォトフレームを施した構成を特徴とする。宗教的要素のないデザインでありながら、形見が外部から見えることで、所有者にとって存在の重みを持つ。【０００８】別素材の分骨収納部を保管できるスペースを有し施錠可能にすることで安全に分骨・遺骨保存が出来、普段はその存在が目に見えないことから、現代のインテリア情勢とライフスタイルに調和させることが出来る。【０００９】各形見収納部、分骨収納部とは別に、手紙、血統書、絵、写真、母子手帳などの大切な遺品書類用収納部を有することで紛失等を防ぐ。【００１０】箱上部の形見展示用ガラス収納ケースの内側面に西暦・名前を刻印したプレートを有し、存在の証や記憶と共に生活することで、宗教的な要素を提供できる。【００１１】フォトフレーム及び、箱上部の形見展示用ガラス収納ケース部付近に象嵌細工やガラス細工、天然石埋め込みなどの装飾を行うことで、大切な家族やペットを敬うと共に、インテリア性を高める。
【発明の効果】
【００１２】現代のインテリア情勢・ライフスタイルと調和する、宗教的イメージをまったく有さない新しい形の追憶・分骨ケースであること。【００１３】箱状本体の上部に形見展示用のガラスケースを有することで、新しい形でありながら、所有者にとって特別なケースであることを演出したこと。【００１４】意外に多い書類遺品を大切に保管できる場所であること。【００１５】墓を持たない年齢層に多い流産による水子や、ペットの供養・遺骨安置の場を提供出来ること。その存在を愛しめる場を提供出来ること。
【発明を実施するための最良の形態】
【００１６】以下本発明の実施の形体を図１〜図３に元づいて説明する。【００１７】図１のような重厚な箱状本体を持ち、箱上部にガラス張りの形見展示用収納ケース１を設け、象嵌細工やガラス細工などで引立たせるデザインとする。【００１８】箱上部ガラス張りの形見展示用収納ケース内側側面に、メモリアルプレート４を設け、形見と同様に大切な家族やペットの生存の証しとする。【００１９】図２のように、箱状本体を開閉時に、フォトフレーム３を設け大切な家族やペットを偲ぶことが出来る。【００２０】箱状本体の引出し５は書類遺品保管場所として設ける。【００２１】伸縮式繋止具によりスライド可能な、箱上部形見展示用ガラスケース１の下部６は、分骨収納場所として設け、遺骨収納ケースを保管し施錠７出来る。
【図面の簡単な説明】
【００２２】
【図１】本発明の形体を示す外観図
【図２】箱状本体の開閉時の外観図
【図３】箱上部に設けられたガラス収納ケースのスライド時の図
【符号の説明】
【００２３】  １  形見展示用ガラス収納ケース
２  形見収納スペース
３  フォトフレーム
４  メモリアルプレート（氏名・西暦を刻印）
５  書類遺品収納用引出
６  分骨収納部
７  分骨収納部及び形見展示用ガラスケースの鍵
【図１】
2008284315.tif 000003
【図２】
2008284315.tif 000004
【図３】
2008284315.tif 000005